(57)【要約】      （修正有）【課題】生地を切ることなく、糸だけを切断できると共に、目打ちを使用せずに、糸を傷付けることなく引出して解くことができる握り小鋏を提供する。【解決手段】先端側に上刃部６を備えた上腕部２と、先端側に下刃部７を備えた下腕部３を基部で弾性的に支持した握り小鋏において、上刃部６と下刃部７の先端部外側を、互いに内向きに湾曲させて先端湾曲部８を形成すると共に、この先端側の上下刃部６，７が対向する部分に湾曲した凹部９をそれぞれ形成し、前記凹部９に、布地に縫いつけた糸を引っ掛けて引き出すようにしたものである。【選択図】図１
0003146445.tif 000002
【実用新案登録請求の範囲】
【請求項１】
先端側に上刃部を備えた上腕部と、先端側に下刃部を備えた下腕部を基部で弾性的に支持した握り小鋏において、上刃部と下刃部の先端部外側を、互いに内向きに湾曲させると共に、この先端側の上下刃部が対向する部分に湾曲した凹部をそれぞれ形成したことを特徴とする握り小鋏。
【請求項２】
湾曲した凹部と上下刃部との境界部分に湾曲部が形成されていることを特徴とする請求項１記載の握り小鋏。
【請求項３】
上腕部と下腕部の対向する中間部にＬ形状の折曲部を、鋏を開いた状態で折曲部の先端が互いに係合するようにそれぞれ突設したことを特徴とする請求項１記載の握り小鋏。
【考案の詳細な説明】
【技術分野】
【０００１】
本考案は、縫製作業において、糸を切断したり縫い付けた糸を解く作業等に使用する握り小鋏に関するものである。
【背景技術】
【０００２】
一般に縫製作業において、縫製した被服等の生地に縫い付けられている糸を切断したり、あるいは縫い付けられている糸を解くために、握り小鋏（糸切り鋏）が使用されている。これは、Ｕ形状をなす鋏本体部の一方の先端に上刃部を備えた上腕部と、他方の先端に下刃部を備えた下腕部を基部で弾性的に支持したもので、その両先端部は尖った形状をなしている。
【０００３】
しかしながら上刃部と下刃部の先端が尖った握り小鋏は、作業中に腕や手に刺さってけがをする恐れがあった。また生地に縫い付けられている糸を切断する場合に、先端部が尖った握り小鋏を立てて使用すると生地まで切って、不良品となってしまうことが往々にしてあった。また、生地に縫い付けられている糸を解く時には、一般に目打ちと握り小鋏が用いられるが、目打ちと握り小鋏を交互に持ち替えて使用するので作業効率が低下する問題があった。特に３本の糸が平行して生地に縫い付けられている場合に、真ん中の糸だけを両側の糸を傷付けることなく引出すのは熟練を要する作業であった。
【０００４】
このため一方の上腕部に目打ちを回動自在に取付けた握り小鋏（特許文献１）が提案されているが、これは目打ちを使用する度に、目打ちを回動して起こして使用しなければならず、また目打ちを使用している時に、過って尖った刃先で生地を切ってしまう危険性があった。
【特許文献１】特開平１０ー２９５９５６
【考案の開示】
【考案が解決しようとする課題】
【０００５】
本考案は上記問題を改善し、生地を切ることなく、糸だけを切断できると共に、目打ちを使用せずに、糸を傷付けることなく引出して解くことができる握り小鋏を提供するものである。
【課題を解決するための手段】
【０００６】
本考案の請求項１記載の握り小鋏は、先端側に上刃部を備えた上腕部と、先端側に下刃部を備えた下腕部を基部で弾性的に支持した握り小鋏において、上刃部と下刃部の先端部外側を、互いに内向きに湾曲させると共に、この先端側の上下刃部が対向する部分に湾曲した凹部をそれぞれ形成したことを特徴とするものである。
【０００７】
本考案の請求項２記載の握り小鋏は、請求項１において、湾曲した凹部と上下刃部との境界部分に湾曲部が形成されていることを特徴とするものである。
【０００８】
本考案の請求項３記載の握り小鋏は、請求項１において、上腕部と下腕部の対向する中間部にＬ形状の折曲部を、鋏を開いた状態で折曲部の先端が互いに係合するようにそれぞれ突設したことを特徴とするものである。
【考案の効果】
【０００９】
本考案に係る請求項１記載の握り小鋏によれば、下刃部の先端を縫い目に差し込んで、湾曲した凹部に引っ掛けて引き出すことができ、鋏と目打ちが一体に形成されているので、布地を切ることなく、糸を解いたり切断することができる。また凹部は上刃部と下刃部の両側に形成されて、握り小鋏を握る方向性がないので、どの向きで握っても使用することができる。
【００１０】
また請求項２記載の握り小鋏によれば、湾曲した凹部と上下刃部との境界部分に湾曲部が形成されているので、湾曲した凹部で引っ掛けた糸をスムーズに上刃部と下刃部に移動させることができる。
【００１１】
また請求項３記載の握り小鋏によれば、上腕部の中間にＬ形状の折曲部が、下腕部の中間に前記折曲部と逆向きのＬ形状の折曲部が設けられ、上刃部と下刃部が開いた状態で、両折曲部の先端が互いに係合してストッパーとして作用しているので、上腕部と下腕部が必要以上に開くことが防止され、上刃部と下刃部は常に接触状態を保つことができる。
【考案を実施するための最良の形態】
【００１２】
以下本考案の実施の一形態を図１ないし図４を参照して詳細に説明する。図において１は握り小鋏を示すもので、上腕部２と下腕部３とが、その基端部で軸４により開閉自在に連結されていると共に、軸４に取付けたコイルスプリング５により弾性的に支持されている。上腕部２の先端側には上刃部６が、またこれと対向して下腕部３の先端側には下刃部７が形成され、上刃部６と下刃部７が、かみ合って切断するようになっている。
【００１３】
更に上腕部２と下腕部３の先端部外側は、互いに内向きに湾曲して先端湾曲部８、８が形成されている。また上刃部６と下刃部７の先端近傍には、湾曲した凹部９、９が形成されている。また上刃部６と凹部９との境界部、および下刃部７と凹部９との境界部分にはそれぞれ湾曲部１０、１０が形成されている。
【００１４】
また上腕部２の中間には図２に示すようにＬ形状の折曲部１２Ａと、下腕部３の中間には前記に折曲部１２Ａと逆向きのＬ形状の折曲部１２Ｂが、上刃部６と下刃部７が開いた状態で、折曲部１２Ａ、１２Ｂの先端が互いに係合するように設けられている。
【００１５】
上記構成の握り小鋏１は図３に示すように、布地１４に縫い付けた糸１５を切断する時には、握り小鋏１を手１６で握って、横にした状態で下刃部７の先端を縫い目に差し込んで、湾曲した凹部９に引っ掛けて引き上げる。この時、下刃部７の先端部外側は、内向きに湾曲した先端湾曲部８が形成されているので布地１４に先端が当たっても切れることがない。次に、図４に示すように握り小鋏１を少し持ち上げて、湾曲した凹部９に引っ掛けた糸１５を湾曲部１０から下刃部７に滑らせて、上刃部６を押し下げることにより、糸１５を切断することができる。
【００１６】
このように、下刃部７の先端を縫い目に差し込んで、湾曲した凹部９に引っ掛けて引き上げるので従来のように目打ちを必要とせず、鋏と目打ちが一体に形成されているので、布地１４を切ることなく、糸１５を解いたり切断することができる。また凹部９は上刃部６と下刃部７の両側に形成されて、握り小鋏１を握る方向性がないにで、どの方向で握っても使用することができる。
【００１７】
また上腕部２の中間にＬ形状の折曲部１２Ａが、下腕部３の中間には前記に折曲部１２Ａと逆向きのＬ形状の折曲部１２Ｂが設けられ、上刃部６と下刃部７が開いた状態で、折曲部１２Ａ、１２Ｂの先端が互いに係合するように設けられているので、上腕部２と下腕部３が必要以上に開くことが防止され、上刃部６と下刃部７は常に接触状態を保つことができる。
【００１８】
図５は本考案の他の実施の形態を示すもので、基部が弾性的に支持されたＵ形状をなす鋏本体部１７の一方の先端側に上刃部６を備えた上腕部２と、他方の先端側に下刃部７を備えた下腕部３を基部で弾性的に支持したもので、Ｌ形状の折曲部を除いて他の構成は図１と同様である。
【図面の簡単な説明】
【００１９】
【図１】本考案の実施の一形態による握り小鋏の側面図である。
【図２】図１の折曲部を示す握り小鋏の断面図である。
【図３】図１の握り小鋏を使用して糸を引き出している状態を示す斜視図である。
【図４】図３の状態から糸を切断している状態を示す斜視図である。
【図５】本考案の他の実施の形態による握り小鋏の側面図である。
【符号の説明】
【００２０】
１    握り小鋏                                            
２    上腕部                                                
３    下腕部                                                
４    軸                                                    
５    コイルスプリング                                      
６    上刃部                                                
７    下刃部                                                
８    先端湾曲部                                            
９    凹部                                                  
１０  湾曲部                                                
１２Ａ、１２Ｂ    折曲部                                    
１４  布地                                                  
１５  糸                                                    
１６  手                                                    
１７  鋏本体                                                
【図１】
0003146445.tif 000003
【図２】
0003146445.tif 000004
【図３】
0003146445.tif 000005
【図４】
0003146445.tif 000006
【図５】
0003146445.tif 000007